(57)【要約】本発明の電子機器は、本体と、前記本体に着脱可能に接続され、第１の無線通信部を備えるスピーカ部と、前記第１の無線通信部と無線通信可能な第２の無線通信部と、前記スピーカ部が前記本体に装着されているか否かを検出する装着検出部と、前記装着検出部により前記スピーカ部が前記本体に装着されていないと検出された場合、前記第２の無線通信部を介してオーディオ信号を前記スピーカ部へ送信する通信制御部とを具備する。
2004091251.tif 000002
【特許請求の範囲】
【請求項１】
本体と、
前記本体に着脱可能に接続され、第１の無線通信部を備えるスピーカ部と、
前記第１の無線通信部と無線通信可能な第２の無線通信部と、
前記スピーカ部が前記本体に装着されているか否かを検出する装着検出部と、
前記装着検出部により前記スピーカ部が前記本体に装着されていないことが検出された場合、前記第２の無線通信部を介してオーディオ信号を前記スピーカ部へ送信する通信制御部と
を具備することを特徴とする電子機器。
【請求項２】
前記本体は、前記スピーカ部と電気的に接続される接続部を備え、
前記通信制御部は、前記装着検出部により前記スピーカ部が前記本体に装着されていることが検出された場合、前記接続部を介してオーディオ信号を前記スピーカ部へ送信することを特徴とする請求項１記載の電子機器。
【請求項３】
前記スピーカ部は、
前記本体に装着されているか否かを検出するスピーカ側装着検出部と、
前記スピーカ部内のデバイスに電力を供給するバッテリと、
前記スピーカ側装着検出部により本体に装着されていないことが検出された場合、前記バッテリから前記第１の無線通信部へ電力を供給する電源制御部と
を具備することを特徴とする請求項１記載の電子機器。
【請求項４】
前記スピーカ側装着検出部により前記本体に装着されていることが検出された場合、前記電源制御部は前記第１の無線通信部への電力供給を停止する
ことを特徴とする請求項３記載の電子機器。
【請求項５】
前記電源制御部は、
前記スピーカ側装着検出部により前記本体に装着されていることが検出された場合、前記本体から供給される電力により前記バッテリを充電する
ことを特徴とする請求項３記載の電子機器。
【請求項６】
前記スピーカ部は、
前記第１の無線通信部で行われる無線通信の通信状態を検出する状態検出部と、
前記状態検出部によって検出された前記通信状態を通知する状態通知部と
を具備することを特徴とする請求項１記載の電子機器。
【請求項７】
前記本体は、
商用電源から電源供給を受けているか否かを検出し、前記商用電源から電源供給を受けており前記装着検出部により前記スピーカ部が前記本体に装着されていることが検出された場合、前記商用電源から受けた電源に基づき前記スピーカ部へ電力を供給する電源制御部を具備する
ことを特徴とする請求項１記載の電子機器。
【請求項８】
前記スピーカ部は、
前記バッテリの残量を検出する状態検出部と、
前記状態検出部によって検出された前記バッテリの残量を通知する状態通知部と
を具備することを特徴とする請求項３記載の電子機器。
【請求項９】
本体に着脱可能であり第１の無線通信部を備えるスピーカ部が、前記本体に装着されているか否かを検出し、
前記スピーカ部が前記本体に装着されていないことが検出された場合、前記第１の無線通信部と無線通信可能な第２の無線通信部を介してオーディオ信号を前記スピーカ部へ送信する
ことを特徴とする電子機器のオーディオ信号出力方法。
【請求項１０】
スピーカ部が前記本体に装着されていることが検出された場合、前記スピーカ部と電気的に接続する接続部を介してオーディオ信号を前記スピーカ部へ送信することを特徴とする請求項９記載のオーディオ信号出力方法。
【請求項１１】
前記スピーカ部は前記本体に装着されているか否かを検出し、
前記本体に装着されていないことが検出された場合、前記スピーカ部が備えるバッテリから前記第１の無線通信部へ電力を供給することを特徴とする請求項９記載のオーディオ信号出力方法。
【請求項１２】
前記スピーカ部は前記本体に装着されているか否かを検出し、前記本体に装着されていることが検出された場合、前記バッテリから前記第１の無線通信部への電力供給を停止することを特徴とする請求項１１記載のオーディオ信号出力方法。
【請求項１３】
前記スピーカ部は前記本体に装着されているか否かを検出し、
前記本体に装着されていることが検出された場合、前記スピーカは前記本体から供給される電力により前記バッテリを充電することを特徴とする請求項１１記載のオーディオ信号出力方法。
【請求項１４】
前記スピーカ部は、前記第１の無線通信部で行われる無線通信の通信状態を検出し、検出された前記通信状態を通知することを特徴とする請求項９記載のオーディオ信号出力方法。
【請求項１５】
前記本体は、商用電源から電源供給を受けているか否かを検出し、前記商用電源から電源供給を受けており前記装着検出部により前記スピーカ部が前記本体に装着されていることが検出された場合、前記商用電源から受けた電源に基づき前記スピーカ部へ電力を供給することを特徴とする請求項９記載のオーディオ信号出力方法。
【発明の詳細な説明】
【技術分野】  本発明は、スピーカを具備する電子機器及び電子機器のオーディオ信号出力方法に関する。
【背景技術】  ノート型パーソナルコンピュータ（以下、「ノート型ＰＣ」という）は、アラーム出力及びオーディオ出力のためのスピーカを備える。
通常、スピーカはノート型ＰＣの筐体に固定される。このため、スピーカから出力される音の方向は固定され、スピーカの位置は限定される。
近年、ノート型ＰＣは、小型化又は薄型化されているため、スピーカの実装が困難になっている。
また、小型化又は薄型化されたノート型ＰＣでは、スピーカの実装状態が制限させるため、適切な音の指向性及び音響効果を得ることが困難である。
【発明の開示】
本発明の目的は、スピーカの設置位置の自由度を増し、出力される音の方向を自由に選択でき、音響効果の向上を図る電子機器及び電子機器のオーディオ信号出力方法に関する。
本発明の電子機器は、本体と、前記本体に着脱可能に接続され、第１の無線通信部を備えるスピーカ部と、前記第１の無線通信部と無線通信可能な第２の無線通信部と、前記スピーカ部が前記本体に装着されているか否かを検出する装着検出部と、前記装着検出部により前記スピーカ部が前記本体に装着されていないことが検出された場合、前記第２の無線通信部を介してオーディオ信号を前記スピーカ部へ送信する通信制御部とを具備する。
また、本発明の電子機器のオーディオ信号出力方法では、本体に着脱可能であり第１の無線通信部を備えるスピーカ部が、前記本体に装着されているか否かを検出し、前記スピーカ部が前記本体に装着されていないことが検出された場合、前記第１の無線通信部と無線通信可能な第２の無線通信部を介してオーディオ信号を前記スピーカ部へ送信する。
【図面の簡単な説明】    図１は本発明の第１の実施形態に係るノート型ＰＣの構成の一例を示す斜視図。
図２は同実施形態に係るノート型ＰＣのハードウェアの一例を示すブロック図。
図３は同実施形態に係る本体のオーディオ信号出力動作の一例を示すフローチャート。
図４は同実施形態に係る本体からスピーカ部への電力供給動作の一例を示すフローチャート。
図５は同実施形態に係るスピーカ部のオーディオ信号出力動作の一例を示すフローチャート。
図６は同実施形態に係るスピーカ部内での電力供給動作の一例を示すフローチャート。
図７は同実施形態に係る本体に対するスピーカ部の取り付け状態の一例を示す上面断面図。
【発明を実施するための最良の形態】  以下、図面を参照しながら本発明の実施形態を説明する。なお、以下の各図において、同一の部分には同一の符号を付してその説明を省略する。
以下の各実施形態においては、電子機器としてノート型パーソナルコンピュータを例に説明を行う。なお、電子機器には、その他にもデスクトップ型コンピュータ、携帯型ゲーム機、ＰＤＡ（Ｐｅｒｓｏｎａｌ  Ｄｉｇｉｔａｌ  Ａｓｓｉｓｔａｎｔ）、オーディオ機器などがある。
第１の実施形態
図１は、本実施形態に係るノート型ＰＣの構成の一例を示す斜視図である。
本実施の形態に係るノート型ＰＣ１は、本体１０１と、ディスプレイユニット（表示部筐体）１０２とから構成されている。ディスプレイユニット１０２には、ＬＣＤを用いた表示デバイス（ＤＩＳＰ）１０３が組み込まれている。この表示デバイス１０３を組み込んだディスプレイユニット１０２は、本体１０１に対して解放位置と閉塞位置との間を回動自在に取り付けられている。
また、ノート型ＰＣ１の本体１０１には、着脱可能なスピーカ部２ａ，２ｂが備えられている。
本体１０１の右側部及び左側部には、スピーカ部２ａ，２ｂが収納される収納部１０４が設けられている。スピーカ部２ａ，２ｂは、スピーカ３５により音をステレオ出力する。
スピーカ部２ａ，２ｂは、本体１０１に設けられたスライダー３６が操作されることにより、本体１０１から離脱される。ユーザは、本体１０１のスライダー３６をスライドさせ、本体１０１からスピーカ部２ａ，２ｂを取り出すことが可能である。なお、本体１０１とスピーカ部２ａ，２ｂを分離することなく、ノート型ＰＣ１を使用することも可能である。
本体１０１からスピーカ部２ａ，２ｂが取り外された場合、オーディオ信号は、本体１０１からスピーカ部２ａ，２ｂに無線を介して送信される。
図２は、本実施形態に係るノート型ＰＣ１のハードウェアの一例を示すブロック図である。なお、この図２では、本体１０１と一方のスピーカ部２ａとの関係を示しているが、本体１０１と他方のスピーカ部２ｂとの関係も同様である。
本体１０１において、ノース・ブリッジ（ＮＢ）３は、ＣＰＵ（Ｃｅｎｔｒａｌ  Ｐｒｏｃｅｓｓｉｎｇ  Ｕｎｉｔ）４、メモリ５、ＰＣＩバス６と接続されている。
サウス・ブリッジ（ＳＢ）７は、ＰＣＩバス６、ハードディスク（ＨＤＤ）８、無線通信部９、サウンドコントローラ（ＳＣ）１０、ＬＰＣ（Ｌｏｗ  Ｐｉｎ  Ｃｏｕｎｔ）バス１１と接続されている。
組込みコントローラ（Ｅｍｂｅｄｄｅｄ  Ｃｏｎｔｒｏｌｌｅｒ）１２は、ＬＰＣバス１１、電源コントローラ（Ｐｏｗｅｒ  Ｓｕｐｐｌｙ  Ｃｏｎｔｒｏｌｌｅｒ）１３と接続される。
電源コントローラ１３は、交流電源（商用電源）から電力の供給を受ける場合、この交流電源からの電力を本体１０１の各種機器（デバイス）に供給するとともに、本体バッテリ１４を充電する機能を有する。
一方、電源コントローラ１３は、交流電源から電力の供給を受けない場合、本体バッテリ１４からの電力を本体１０１の各種機器に供給する。
本実施の形態において、スピーカ部２ａのコントローラ１５は、無線通信部１６、アンプ１７、スピーカバッテリ１８、例えばＬＥＤなどを含む状態通知部１９ａ，１９ｂと接続される。
本体１０１にスピーカ部２ａが取り付けられている場合、コントローラ１５は、コネクタ２０ａを具備するオーディオ信号回線２０経由で、サウス・ブリッジ７と接続される。
また、本体１０１にスピーカ部２ａが取り付けられている場合、コントローラ１５は、コネクタ２１ａを具備する電力供給回線２１、コネクタ２２ａを具備する装着検出回線２２経由で組込みコントローラ１２と接続される。
すなわち、スピーカ部２ａが本体１０１から取り外されている場合、コネクタ２０ａ，２１ａ，２２ａは切断状態となり、オーディオ信号回線２０、電力供給回線２１、装着検出回線２２は切断される。
一方、スピーカ部２ａが本体１０１に取り付けられている場合、コネクタ２０ａ，２１ａ，２２ａは接続状態となり、オーディオ信号回線２０、電力供給回線２１、装着検出回線２２は接続される。
組込みコントローラ１２は、スピーカ部２ａが本体１０１に装着されているか否かの検出を行う装着検出部２３、装着検出の結果を記録するメモリ２４、スピーカ部２ａへの電力供給を制御する電源制御部２５を具備する。
例えば、装着検出部２３は、所定の電力を装着検出回線２２経由でコントローラ１５に提供する。装着検出回線２２のコントローラ１５側の端部は接地されているとする。
装着検出部２３は、装着検出回線２２が接地されているか否かを検出することでスピーカ部２ａの着脱を検出し、検出結果を示す装着結果データ２６をメモリ２４に記録する。メモリ２４には、例えばレジスタを適用できる。
電源制御部２５は、メモリ２４に記録されている装着結果データ２６が装着されていることを示す場合、電力を電力供給回線２１経由でコントローラ１５に提供する。
また、電源制御部２５は、本体１０１が本体バッテリ１４からの電力により動作している場合、本体バッテリ１４の電力の消費を抑制するために、スピーカ部２ａへの電力供給を中止する。
サウス・ブリッジ７は、オーディオ信号の出力形態を切り替える通信制御部２７を具備する。
通信制御部２７は、メモリ２４の装着結果データ２６が装着されていることを示す場合、サウンドコントローラ１０からのオーディオ信号をオーディオ信号回線２０経由でコントローラ１５に送信する。
一方、通信制御部２７は、装着結果データ２６が装着されていないことを示す場合、サウンドコントローラ１０からのオーディオ信号を、無線通信部９を用いて出力する。無線通信部９と無線通信部１６との間では、例えば  Ｂｌｕｅ−ｔｏｏｔｈ（登録商標）により通信が行われる。
スピーカ部２ａのコントローラ１５は、装着検出部２８、メモリ２９、電源制御部３０、通信制御部３１、Ｄ／Ａ変換部３２、状態検出部３３を具備する。装着検出部２８については、上記本体１の装着検出部２３と同様であるため説明を省略する。装着検出部２８による検出結果を示す装着結果データ３４はメモリ２９に記録される。
電源制御部３０は、メモリ２９の装着結果データ３４が装着されていないことを示す場合、スピーカバッテリ１８からの電力をスピーカ部２ａの各種機器に供給する。
一方、電源制御部３０は、装着結果データ３４が装着されていることを示す場合、電力供給回線２１からの電力をスピーカ部２ａの各種機器に供給するとともに、スピーカバッテリ１８を充電する。
通信制御部３１は、装着結果データ３４が装着されていることを示す場合、オーディオ信号回線２０から受信されるオーディオ信号をＤ／Ａ変換部３２に出力する。
一方、通信制御部３１は、装着結果データ３４が装着されていないことを示す場合、無線通信部１６によって受信されたオーディオ信号をＤ／Ａ変換部３２に出力する。
Ｄ／Ａ変換部３２は、入力したオーディオ信号をアナログからデジタルに変換し、アンプ１７に出力する。オーディオ信号はアンプ１７によって増幅され、スピーカ３５から音が出力される。
状態検出部３３は、スピーカバッテリ１８の電力の残量、充電状態、無線通信の電波感度などを、状態通知部１９ａ，１９ｂを用いて出力する。状態通知部１９ａ，１９ｂは、例えば緑とオレンジの２色で発行可能なＬＥＤなどによって構成される。状態検出部３３は、例えば、無線通信の電波の感度が所定感度より良い場合には、状態通知部１９ａのＬＥＤを緑色で点灯させ、電波の感度が所定感度より悪い場合には、オレンジ色でＬＥＤを点灯させる。さらに、状態検出部３３は、無線通信の電波感度に応じて、オレンジ色で点灯させていたＬＥＤを点滅させることも可能である。
また、状態検出部３３は、例えば、スピーカバッテリの電力の残量が所定量以下（例えば３０％以下）となると、状態通知部１９ｂのＬＥＤをオレンジ色で点灯させ、残量の低下に応じて（例えば１５％以下となると）、オレンジ色で点灯させていたＬＥＤを点滅表示に切り替える。さらに、状態検出部３３は、スピーカバッテリ１８の電力の残量が所定値以下（例えば２％以下）となるとスピーカ３５から警告音を出力するための処理を実行する。
図３は、本体１０１のオーディオ信号出力動作の一例を示すフローチャートである。
ステップＳ１において、装着検出部２３は、スピーカ部２ａの着脱の検出結果を示す装着結果データ２６を記録する。
ステップＳ２において、通信制御部２７は、装着結果データ２６が装着されていることを示すか判断する。
装着結果データ２６が装着されていることを示す場合、ステップＳ３において、通信制御部２７は、オーディオ信号をオーディオ信号回線２０経由でコントローラ１５に出力する。
一方、装着結果データ２６が装着されていないことを示す場合、ステップＳ４において、通信制御部２７は、無線通信部９を用いてオーディオ信号を出力する。
ステップＳ５において、本体１０１は、動作終了するまで上記処理を繰り返す。
図４は、本体１０１からスピーカ部２ａへの電力供給動作の一例を示すフローチャートである。
ステップＴ１において、装着検出部２３は、スピーカ部２ａの着脱の検出結果を示す装着結果データ２６を記録する。
ステップＴ２において、電源制御部２５は、装着結果データ２６が装着されていることを示すか判断する。
装着結果データ２６が装着されていることを示す場合、ステップＴ３において、電源制御部２５は、本体１０１が交流電源からの電力により動作しているか判断する。
本体１０１が交流電源からの電力により動作している場合、ステップＴ４において、電源制御部２５は、交流電源からの電力を、電力供給回線２１経由でスピーカ部２ａに供給する。
装着結果データ２６が装着されていないことを示す場合又は本体１０１が本体バッテリ１４からの電力により動作している場合、ステップＴ５において、電源制御部２５は、スピーカ部２ａへの電力の供給を中止する。
ステップＴ６において、本体１０１は、動作終了するまで上記処理を繰り返す。
図５は、スピーカ部２ａのオーディオ信号出力動作の一例を示すフローチャートである。
ステップＵ１において、装着検出部２８は、スピーカ部２ａの着脱の検出結果を示す装着結果データ３４を記録する。
ステップＵ２において、スピーカ部２ａの通信制御部３１は、装着結果データ３４が装着されていることを示すか判断する。
装着結果データ３４が装着されていることを示す場合、ステップＵ３において、通信制御部３１は、オーディオ信号回線２０経由で受信したオーディオ信号をＤ／Ａ変換部３２に出力する。
装着結果データ３４が装着されていないことを示す場合、ステップＵ４において、通信制御部３１は、無線通信部１６によって受信したオーディオ信号をＤ／Ａ変換部３２に出力する。
ステップＵ５において、状態検出部３３は、無線通信部１６の受信状態を検出する。
ステップＵ６において、状態通知部１９ａ又はスピーカ３５は、状態検出部３３により検出した状態に対応する通知を行う。
ステップＵ７において、Ｄ／Ａ変換部３２は、オーディオ信号をデジタルからアナログに変換し、アンプ１７に出力する。
ステップＵ８において、アンプ１７は、オーディオ信号を増幅してスピーカ３５に出力する。
ステップＵ９において、スピーカ３５はオーディオ信号に基づいて音を出力する。
ステップＵ１０において、スピーカ部２ａは、動作終了するまで上記処理を繰り返す。
図６は、スピーカ部２ａ内での電力供給動作の一例を示すフローチャートである。
ステップＶ１において、装着検出部２８は、スピーカ部２ａの着脱の検出結果を示す装着結果データ３４を記録する。
ステップＶ２において、スピーカ部２ａの電源制御部３０は、装着結果データ３４が装着されていることを示すか判断する。
装着結果データ３４が装着されていることを示す場合、ステップＶ３において、電源制御部３０は、電力供給回線２１から提供された電力を各種機器に提供する。
ステップＶ４において、電源制御部３０は、スピーカバッテリ１８に充電が必要か判断する。
充電が必要な場合、ステップＶ５において、電源制御部３０は、電力供給回線２１から提供された電力によりスピーカバッテリ１８を充電する。
ステップＶ６において、状態検出部３３は、スピーカバッテリ１８が充電中である旨の通知を、状態通知部１９ｂを用いて行う。
一方、装着結果データ３４が装着されていないことを示す場合、ステップＶ７において、電源制御部３０は、スピーカバッテリ１８から提供された電力をスピーカ部２ａの各種機器に提供する。
ステップＶ８において、状態検出部３３は、スピーカバッテリ１８の電力の残量状態を検出する。
ステップＶ９において、状態検出部３３は、検出した状態に対応する通知を状態通知部１９ｂ又はスピーカ３５を用いて行う。
ステップＶ１０において、スピーカ部２ａは、動作終了するまで上記処理を繰り返す。
図７は、本体１０１に対するスピーカ部２ａの取り付け状態の一例を示す上面断面図である。
スピーカ部２ａは直方体状である。スピーカ部２ａの一端は曲面であり、他端は凹面である。
本体１０１における収納部１０４の収納スペースの形状は、スピーカ部２ａにあわせて直方体状である。収納スペースの一端は、スピーカ部２ａの曲面にそった形状である。
収納部１０４の収納スペースの他端側には、凸部を持つスライダー３６が具備される。例えばバネやゴムなどの弾性体３７ａ，３７ｂは、通常状態において凸部が収納スペースに突出するように、スライダー３６を収納スペース側に寄せる。スライダー３６は、収納部１０４にスピーカ部２ａを収納する時及び収納部１０４からスピーカ部２ａを取り出す時に、収納スペースとは逆の方向に移動する。
スピーカ部２ａを収納する時、まず、ユーザは、スピーカ部２ａの一端を収納スペースに挿入する。すると、スピーカ部２ａの一端と収納スペースの一端とは対面する。
次に、ユーザは、スピーカ部２ａの他端を収納スペースに挿入する。すると、スライダー３６の凸部とスピーカ部２ａの凹面とは篏合する。
スピーカ部２ａが収納部１０４の収納スペースに完全に収納されると、コネクタ２０ａ，２１ａ，２２ａは接続状態となる。
スピーカ部２ａを取り出す時、ユーザは、スライダー３６を収納スペースと逆の方向にスライドし、スピーカ部２ａを収納部１０４から取り出す。
以上説明した本実施形態では、ノート型ＰＣ１の本体１０１からスピーカ部２ａ，２ｂを取り外すことができる。このため、ユーザは、スピーカ部２ａ，２ｂを自由な位置に配置し、自己の好みに応じた音の方向を選択でき、良好な音響効果を得ることができる。ユーザは、ノート型ＰＣ１が小型化又は薄型化されても、良好な音響効果を得ることができる。
本実施形態では、収納部１０４内にスピーカ部２ａ，２ｂが収納されている場合、スピーカ部２ａは固定される。このため、ノート型ＰＣ１の持ち運びが困難になることはない。
本実施形態では、スピーカ部２ａ，２ｂの電源の状態、本体１０１とスピーカ部２ａ，２ｂとの間の通信の状態が検出され、ユーザに通知される。このため、ユーザは、容易にスピーカ部２ａ，２ｂの状態を把握できる。
本実施の形態では、本体１０１からスピーカ部２ａ，２ｂが取り外された場合、デジタル通信によりオーディオ信号が本体１０１からスピーカ部２ａ，２ｂに送信される。したがって、オーディオ信号を良好に送受信できる。
第２の実施形態
本実施の形態では、上記第１の実施の形態の変形例について説明する。
スピーカ部２ａ，２ｂの着脱検出には、様々な手法を適用できる。例えば、装着検出部２３，２８は、スピーカ部２ａ，２ｂが本体１０１に取り付けられている場合にスピーカ部２ａ，２ｂと本体１０１との間を物理的に接続し、スピーカ部２ａ，２ｂが本体１０１から取り外された場合に切断状態となる回線を経由して、本体１０１とスピーカ部２ａ，２ｂとの間で呼出信号と応答信号とを送受信する。そして、装着検出部２３，２８は、呼出信号と応答信号とを送受信できない状態になると、スピーカ部２ａ，２ｂが本体１０１から取り外されたと判断する。
本体１０１の装着検出部２３、電源制御部２５は、組込みコントローラ１２ではなく、例えばＣＰＵ４、サウス・ブリッジ７などの動作で実現されてもよい。
また、メモリ２４の代わりにメモリ５、ハードディスク８が用いられてもよい。
本体１０１の通信制御部２７は、サウス・ブリッジ７ではなく、組込みコントローラ１２、ＣＰＵ４などの動作で実現されてもよい。
本体１０１の装着検出部２３、電源制御部２５、通信制御部２７の動作は、ＣＰＵによって実行されるユーティリティプログラムによって管理されるとしてもよい。ユーティリティプログラムは、スピーカバッテリ１８の電力の残量状態、本体１０１とスピーカ部２ａ，２ｂとの間の無線通信の状態、着脱の状態を本体１０１に具備される表示デバイス１０３によって表示するとしてもよい。
本体１０１は、収納部１０４にスピーカ部２ａ，２ｂが押し込まれるとスピーカ部２ａ，２ｂをホールドし、ホールドされているスピーカ部２ａ，２ｂがさらに押し込まれるとスピーカ部２ａ，２ｂをリリースする構造を適用してもよい。
また、本体１０１とスピーカ部２ａ，２ｂとの間の距離を無線通信の可否など様々な手法で検出し、距離が所定の範囲を超えたと判断されるとスピーカ部２ａ，２ｂは警告音を出力するとしてもよい、これにより、スピーカ部２ａ，２ｂの紛失を防止できる。
【図１】
2004091251.tif 000003
【図２】
2004091251.tif 000004
【図３】
2004091251.tif 000005
【図４】
2004091251.tif 000006
【図５】
2004091251.tif 000007
【図６】
2004091251.tif 000008
【図７】
2004091251.tif 000009
【国際調査報告】
2004091251.tif 000010
2004091251.tif 000011